(57)【要約】【課題】底辺側においてのシール部分に囲まれた状態で非シール部を設けることによって、収納部の一部を開封するとともに、シール部分の所定部分を容易に切り取ることを可能にするラミネート袋を提供すること。【解決手段】ラミネート袋１０を、正面と、背面のシート１２とが対向し、重なり合うシート１２の両側辺１４及び底辺１６同士を三辺シールすることにより袋状の収納部２６が形成され、収納部２６の内部に被収納物が収納可能であり、且つ、両側辺１４の底辺１６近傍には、それぞれ、底辺１６側において、収納部２６の一部を開封するとともに、シールされているシール部１８の所定部分を切り取る際に用いる切り込み部２０が形成されており、底辺１６側には、その所定箇所に、シールされているシール部１８に囲まれた非シール部２２が形成されている構成とした。【選択図】図１
2018165159.tif 000002
【特許請求の範囲】
【請求項１】
正面シートと背面シートとが対向し、重なり合うシートの両側辺及び底辺同士を三辺シールすることにより袋状の収納部が形成され、当該収納部の内部に被収納物が収納可能であり、且つ、前記両側辺の前記底辺近傍には、それぞれ、前記底辺側において、前記収納部の一部を開封するとともに、シールされている部分の所定部分を切り取る際に用いる切り込み部が形成されてなるラミネート袋において、
前記底辺側のシールされている部分には、その所定箇所に、当該シールされている部分に囲まれた非シール部が形成されていることを特徴とするラミネート袋。
【請求項２】
正面シートと背面シートとが対向し、重なり合うシートの各辺同士を四辺シールすることにより袋状の収納部が形成され、当該収納部の内部に被収納物が収納可能であり、且つ、前記両側辺の前記底辺近傍には、それぞれ、前記底辺側において、前記収納部の一部を開封するとともに、シールされている部分の所定部分を切り取る際に用いる切り込み部が形成されてなるラミネート袋において、
前記底辺側のシールされている部分には、その所定箇所に、当該シールされている部分に囲まれた非シール部が形成されていることを特徴とするラミネート袋。
【請求項３】
前記非シール部は、前記両側辺の各切り込み部同士を結ぶ直線上に沿って、所定の長さで、細長く形成されているものであることを特徴とする請求項１又は２記載のラミネート袋。
【請求項４】
前記非シール部は、一端から所定の長さの位置にかけて、前記両側辺の各切り込み部同士を結ぶ直線上に沿って細長く形成され、続いて、前記所定の長さの位置から、他端にかけては、当該他端が、前記底辺の所定位置へと到達するよう細長く曲線状に形成されているものであることを特徴とする請求項１又は２記載のラミネート袋。
【発明の詳細な説明】
【技術分野】
【０００１】
本発明は、液体を袋体の内部にて収容可能な三辺または四辺シールされたラミネート袋であって、特に、底辺側のシールされている部分を側辺の方から容易に切り取ることができるラミネート袋に関するものである。
【背景技術】
【０００２】
従来から、三辺や四辺においてシールされた内部に液体等を収容可能とする包装袋が用いられてきており、この包装袋を開封するために、シールされている箇所を指先にて引き裂いて切除するといったことが行われている。しかし、指先にてシール部を切除する場合は、開封が容易に行えないという問題が指摘されている。
【０００３】
そのため、包装袋の開封を容易にするために、包装袋のシール部に切り込みを形成しておき、包装袋を引き裂きやすくする工夫がなされきている。例えば、図４に示すように、三辺シールからなる包装袋５０のシール部５２に、Ｖ字状に切除して切り込み５４を形成しておく。
【０００４】
また、例えば、特許文献１に開示されている、包装フィルムを縦横に三方シールあるいは四方シールすることによって、液体や粉体あるいは粘稠物質などの被包装物を密封シールするようにした包装袋において、前記包装袋のシール部の奥行き方向に向けて切り込みからなる開封用ノッチを形成するとともに、この切り込みからなる開封用ノッチと隣接してシール部に折り曲げ部を施してなることを特徴とする易開封製包装袋のように、包装袋のシール部の開封を容易にするために様々な対応策が開発されてきている。
【先行技術文献】
【特許文献】
【０００５】
【特許文献１】特開平１１−７９１１４号公報
【発明の概要】
【発明が解決しようとする課題】
【０００６】
しかしながら、上記特許文献１に開示されている易開封製包装袋に開示されている工夫では、シール部の範囲が狭いため、切り裂きやすいが、例えば、図５に示すようにシール部６２の範囲が広い部分を切り込み部６４から切り裂く必要がある特殊な形状の包装袋６０では、シール部６２の影響で、うまく切り裂くことができないことが多く、未だに改善の余地がある。
【０００７】
本発明は、上述の問題を解決するためのもので、底辺側においてのシール部分に囲まれた状態で非シール部を設けることによって、収納部の一部を開封するとともに、シール部分の所定部分を容易に切り取ることを可能にするラミネート袋を提供することを目的としている。
【課題を解決するための手段】
【０００８】
上述の課題に対応するため、本発明は、以下の技術的手段を講じている。
即ち、請求項１記載の発明は、正面シートと背面シートとが対向し、重なり合うシートの両側辺及び底辺同士を三辺シールすることにより袋状の収納部が形成され、当該収納部の内部に被収納物が収納可能であり、且つ、前記両側辺の前記底辺近傍には、それぞれ、前記底辺側において、前記収納部の一部を開封するとともに、シールされている部分の所定部分を切り取る際に用いる切り込み部が形成されてなるラミネート袋において、前記底辺側のシールされている部分には、その所定箇所に、当該シールされている部分に囲まれた非シール部が形成されていることを特徴とするラミネート袋である。
【０００９】
また、請求項２記載の発明は、正面シートと背面シートとが対向し、重なり合うシートの各辺同士を四辺シールすることにより袋状の収納部が形成され、当該収納部の内部に被収納物が収納可能であり、且つ、前記両側辺の前記底辺近傍には、それぞれ、前記底辺側において、前記収納部の一部を開封するとともに、シールされている部分の所定部分を切り取る際に用いる切り込み部が形成されてなるラミネート袋において、前記底辺側のシールされている部分には、その所定箇所に、当該シールされている部分に囲まれた非シール部が形成されていることを特徴とするラミネート袋である。
【００１０】
そして、請求項３記載の発明は、請求項１又は２記載のラミネート袋であって、前記非シール部は、前記両側辺の各切り込み部同士を結ぶ直線上に沿って、所定の長さで、細長く形成されているものであることを特徴としている。
【００１１】
さらに、請求項４記載の発明は、請求項１又は２記載のラミネート袋であって、前記非シール部は、一端から所定の長さの位置にかけて、前記両側辺の各切り込み部同士を結ぶ直線上に沿って細長く形成され、続いて、前記所定の長さの位置から、他端にかけては、当該他端が、前記底辺の所定位置へと到達するよう細長く曲線状に形成されているものであることを特徴としている。
【発明の効果】
【００１２】
本発明によると、三辺又は四辺シールされたラミネート袋のうち、底辺側において、そのシール部分に囲まれた状態の非シール部を設けることによって、底辺側において、収納部の一部を開封するとともに、シール部分の所定部分の切り取りを切り込み部から容易に行うことが可能となる。また、非シール部に沿って切り取るため、非シール部が、切り取り方向のガイドとしての役割も果たせる。
【図面の簡単な説明】
【００１３】
【図１】本発明に係るラミネート袋の第１の実施形態を示したもので、（ａ）は正面図、（ｂ）は切り取りラインを表示した正面図である。
【図２】本発明に係るラミネート袋の第２の実施形態を示したもので、（ａ）は正面図、（ｂ）は切り取りラインを表示した正面図である。
【図３】本発明に係るラミネート袋の第３の実施形態を示したもので、（ａ）は正面図、（ｂ）は切り取りラインを表示した正面図である。
【図４】従来の包装袋を示した図である。
【図５】従来の包装袋を示した図である。
【発明を実施するための形態】
【００１４】
本発明に係るラミネート袋の第１の実施形態について図１を参照しながら説明する。
図１は、本発明に係るラミネート袋の第１の実施形態を示した図である。符号については、１０がラミネート袋、１２がシート、１４が両側辺、１６が底辺、１８がシール部、２０が切り込み部、２２が非シール部、２４は抽出口、２６は収納部を示している。
【００１５】
本実施形態におけるラミネート袋１０は、正面と、背面のシート１２とが対向し、重なり合うシート１２の両側辺１４及び底辺１６同士を三辺シールすることにより袋状の収納部２６が形成され、収納部２６の内部に被収納物が収納可能であり、且つ、両側辺１４の底辺１６近傍には、それぞれ、底辺１６側において、収納部２６の一部を開封するとともに、シールされているシール部１８の所定部分を切り取る際に用いる切り込み部２０が形成されており、底辺１６側には、その所定箇所に、シールされているシール部１８に囲まれた非シール部２２が形成されているものである。
【００１６】
続いて、本実施形態におけるラミネート袋１０について詳細に説明していく。本実施形態におけるラミネート袋１０は、図１に示すように、両側辺１４と、底辺１６が、それぞれシールされてなる三辺シールの構成であり、また、両側辺１４の底辺１６近傍には、それぞれ、底辺１６側において、収納部２６の一部を開封するとともに、シールするシール部１８の所定部分を切り取る際に用いる切り込み部２０が形成されており、この切り込み部２０から、シール部１８の内側（反対側など）へ向けて指などにより切り裂き、抽出口２４から、収納部２６の内部に収容されている被収納物（液体等）を抽出することができるようになっている。
【００１７】
なお、図１に示すように、切り裂く部分は、主にシール部１８であることから、うまく切り裂けない事態を避ける必要がある。そこで、本実施形態では、底辺１６側の所定箇所に、シールされているシール部１８に囲まれた非シール部２２が形成されている。ここで、本実施形態では、この非シール部２２は、両側辺１４の各切り込み部２０同士を結ぶ直線上に沿って、所定の長さで、細長く形成されている。
【００１８】
このように、シール部１８に囲まれる形で、非シール部２２が形成されているため、切り込み部２０からシール部１８の所定部分を切り取る（図１（ｂ）における切り取りラインに沿って切り裂く）動作が、非シール部２２が無い場合のそれに比べて、容易にできるようになるわけである。また、ラミネート袋１０の表面に、印刷等で、非シール部２２に関する説明を記載しておくと、利便性が向上する。
【００１９】
次に、本発明に係るラミネート袋の第２の実施形態について図２を参照しながら説明する。
図２は、本発明に係るラミネート袋の第２の実施形態を示した図である。符号については、図１と同様である。
【００２０】
本実施形態におけるラミネート袋１０は、正面と、背面のシート１２とが対向し、重なり合うシート１２の両側辺１４及び底辺１６同士を四辺シールすることにより袋状の収納部２６が形成され、収納部２６の内部に被収納物が収納可能であり、且つ、両側辺１４の底辺１６近傍には、それぞれ、底辺１６側において、収納部２６の一部を開封するとともに、シールされているシール部１８の所定部分を切り取る際に用いる切り込み部２０が形成されており、底辺１６側には、その所定箇所に、シールされているシール部１８に囲まれた非シール部２２が形成されているものである。なお、本実施形態では、天辺側にも切り込み部２０が形成されているが、これは一例であって、本発明を限定するものではない。
【００２１】
続いて、本実施形態におけるラミネート袋１０について詳細に説明していく。本実施形態におけるラミネート袋１０は、図２に示すように、両側辺１４と、底辺１６が、それぞれシールされてなる三辺シールの構成であり、また、両側辺１４の底辺１６近傍には、それぞれ、底辺１６側において、収納部２６の一部を開封するとともに、シールするシール部１８の所定部分を切り取る際に用いる切り込み部２０が形成されており、この切り込み部２０から、シール部１８の内側（反対側など）へ向けて指などにより切り裂き、抽出口２４から、収納部２６の内部に収容されている被収納物（液体等）を抽出することができるようになっている。
【００２２】
なお、図２に示すように、切り裂く部分は、主にシール部１８であることから、うまく切り裂けない事態を避ける必要があるる。そこで、本実施形態では、底辺１６の所定箇所に、シールされているシール部１８に囲まれた非シール部２２が形成されている。ここで、本実施形態では、この非シール部２２は、両側辺１４の各切り込み部２０同士を結ぶ直線上に沿って、所定の長さで、細長く形成されている。
【００２３】
このように、シール部１８に囲まれる形で、非シール部２２が形成されているため、切り込み部２０からシール部１８の所定部分を切り取る（図２（ｂ）における切り取りラインに沿って切り裂く）動作が、非シール部２２が無い場合のそれに比べて、容易にできるようになるわけである。また、ラミネート袋１０の表面に、印刷等で、非シール部２２に関する説明を記載しておくと、利便性が向上する。
【００２４】
さらに、本発明に係るラミネート袋の第３の実施形態について図３を参照しながら説明する。
図３は、本発明に係るラミネート袋の第３の実施形態を示した図である。符号については、図１と同様である。
【００２５】
本実施形態におけるラミネート袋１０は、正面と、背面のシート１２とが対向し、重なり合うシート１２の両側辺１４及び底辺１６同士を三辺シールすることにより袋状の収納部２６が形成され、収納部２６の内部に被収納物が収納可能であり、且つ、両側辺１４の底辺１６近傍には、それぞれ、底辺１６側において、収納部２６の一部を開封するとともに、シールされているシール部１８の所定部分を切り取る際に用いる切り込み部２０が形成されており、底辺１６側には、その所定箇所に、シールされているシール部１８に囲まれた非シール部２２が形成されているものである。
【００２６】
続いて、本実施形態におけるラミネート袋１０について詳細に説明していく。本実施形態におけるラミネート袋１０は、図３に示すように、両側辺１４と、底辺１６が、それぞれシールされてなる三辺シールの構成であり、また、両側辺１４の底辺１６近傍には、それぞれ、底辺１６側において、収納部２６の一部を開封するとともに、シールするシール部１８の所定部分を切り取る際に用いる切り込み部２０が形成されており、この切り込み部２０から、シール部１８の内側（反対側など）へ向けて指などにより切り裂き、抽出口２４から、収納部２６の内部に収容されている被収納物（液体等）を抽出することができるようになっている。
【００２７】
なお、図３に示すように、切り裂く部分は、主にシール部１８であることから、うまく切り裂けない事態を避ける必要があるる。そこで、本実施形態では、底辺１６の所定箇所に、シールされているシール部１８に囲まれた非シール部２２が形成されている。ここで、本実施形態では、この非シール部２２は、図３に示すように、一端から所定の長さの位置にかけて、両側辺１４の各切り込み部２０同士を結ぶ直線上に沿って細長く形成され、続いて、その所定の位置から、他端にかけては、その他端が、底辺１６の所定位置へと到達するよう細長く曲線状に形成されている。
【００２８】
このように、シール部１８に囲まれる形で、非シール部２２が形成されているため、切り込み部２０からシール部１８の所定部分を切り取る（図３（ｂ）における切り取りラインに沿って切り裂く）動作が、非シール部２２が無い場合のそれに比べて、容易にできるようになるわけである。また、本実施形態のように、非シール部２２が、曲線状に底辺１６へと到達するように形成させておけば、シール部１８を容易に切り裂けるとともに、切り裂く長さを短くし、労力を減らすこともできる。なお、ラミネート袋１０の表面に、印刷等で、非シール部２２に関する説明を記載しておくと、利便性が向上する。
【符号の説明】
【００２９】
１０  ラミネート袋
１２  シート
１４  両側辺
１６  底辺
１８  シール部
２０  切り込み部
２２  非シール部
２４  抽出口
２６  収納部
【図１】
2018165159.tif 000003
【図２】
2018165159.tif 000004
【図３】
2018165159.tif 000005
【図４】
2018165159.tif 000006
【図５】
2018165159.tif 000007